(57)【特許請求の範囲】
【請求項１】
遊技球用入口部を有する台板を遊技盤に装着するようにした遊技機において、
前記台板は、
前記遊技球用入口部を有する入口部材を裏側から取り付けるため、その入口部材の裏側から嵌め込まれる部分より大きめの開口部と、
前記開口部の左右両側縁部から左右方向外側にそれぞれ所定距離だけ離れた位置から裏側方向に立設されると共にネジ孔が形成された一対の取付ボスと、
を有し、
前記入口部材は、
前記遊技球用入口部の前面部を形成する装飾用板部と、
前記装飾用板部の裏側から背面方向に立設されて前記遊技球用入口部と連通する入球用通路を形成する前側側壁部と、
前記入球用通路の入口部に裏側から取り付けられて遊技球の入賞を検出する近接センサと、
前記前側側壁部の背面側端縁部から左右方向外側に前記開口部を裏側から塞ぐように延出された該前側側壁部と該開口部との隙間よりも大きい遮蔽用部材と、
前記遮蔽用部材の左右両側縁部から前記取付ボスとほぼ同じ高さになるように裏側方向へ延出された一対の延出部と、
前記一対の延出部のそれぞれの先端部から左右方向外側に所定長さ延出されて前面側に前記取付ボスの先端部が嵌入される長溝部が左右方向に形成された凹部形状の一対の位置決め部と、
前記一対の位置決め部の各凹部形状の底面部に所定間隔で長手方向に配設された複数の取付孔と、
を有し、
該入口部材は、前記装飾用板部と前記前側側壁部とを前記台板の前記開口部内に裏側から嵌め込んで、前記一対の位置決め部の各凹部形状内の複数の取付孔を介して前記一対の取付ボスに対して左右方向に位置調節可能に螺着され、
該台板は、該入口部材が何れの取り付け位置に螺着されても、前記開口部が前記遮蔽用部材によって裏側から塞がれることを特徴とする遊技機。
【発明の詳細な説明】
【０００１】
【発明の属する技術分野】
本発明は、遊技球用入口部を有する台板を、遊技盤に装着するようにした遊技機に関し、特に、遊技盤の見栄えを良くする他に、その取付部材を入球口の配置が異なる別の機種のものにも利用できるようにした遊技機に関する。
【０００２】
【発明が解決しようとする課題】
遊技機の一例としては、いわゆるヒコーキタイプ（第２種）のパチンコ機がある。そのヒコーキタイプのパチンコ機の場合、その遊技領域の中央に、羽根形の開閉部材を有する可動入賞装置が配設される他に、その可動入賞装置の下方位置に、始動入賞口を有する入球口部材が複数取り付けられている。この場合、複数の入球口部材をそれぞれ遊技領域に取り付ける場合の取付作業性を高めるべく、例えば横長の台板部の前面に３個の入球口部を横に並べた形態の、三連チャッカーを製造し、これを遊技領域に取り付けることがある。
ところが、このような三連チャッカーの場合、３個の入球口が台板部の前面で相互に固定されているので、個々の入球口の位置調整ができない。また、１種類の三連チャッカーを、特定のパチンコ機用に製造した場合、入球口の配置が相違する別のパチンコ機に対して、その三連チャッカーを利用することはできず、機種毎に新たな三連チャッカーを製造しなければならない欠点がある。
【０００３】
そのため、本願出願人は、特開平１０−３１４３８９号公報に示すように、パチンコ機の遊技盤に、２個以上の入球口の相互間位置を無段階に調節可能に連結した連結機構を取り付ける構成のものを提案した。同公報のパチンコ機は、複数の入球口を取り付ける際の作業性を高めるという効果を有する他に、入球口の配置が異なる別の機種のものに共用できるという効果を有している。
しかし、同公報に記載されたパチンコ機の場合、その連結機構を、遊技盤の前面側に取り付ける構成であるため、見栄えが必ずしも良くなく、更に、遊技盤上を転動落下するパチンコ球がその連結機構に当たって、不用意な跳ね返りが生じることがあるので、改良の余地があった。
本発明は、上記事情に鑑みてなされたもので、その目的は、遊技盤の見栄えを良くする他に、入球口の配置が異なる別の機種のものに利用できるようにした遊技機であって、更に改良された優れた遊技機を提供することにある。
【０００４】
【課題を解決するための手段】
本発明の遊技機は、遊技球用入口部を有する台板を遊技盤に装着するようにした遊技機において、前記台板は、前記遊技球用入口部を有する入口部材を裏側から取り付けるため、その入口部材の裏側から嵌め込まれる部分より大きめの開口部と、前記開口部の左右両側縁部から左右方向外側にそれぞれ所定距離だけ離れた位置から裏側方向に立設されると共にネジ孔が形成された一対の取付ボスと、を有し、前記入口部材は、前記遊技球用入口部の前面部を形成する装飾用板部と、前記装飾用板部の裏側から背面方向に立設されて前記遊技球用入口部と連通する入球用通路を形成する前側側壁部と、前記入球用通路の入口部に裏側から取り付けられて遊技球の入賞を検出する近接センサと、前記前側側壁部の背面側端縁部から左右方向外側に前記開口部を裏側から塞ぐように延出された該前側側壁部と該開口部との隙間よりも大きい遮蔽用部材と、前記遮蔽用部材の左右両側縁部から前記取付ボスとほぼ同じ高さになるように裏側方向へ延出された一対の延出部と、前記一対の延出部のそれぞれの先端部から左右方向外側に所定長さ延出されて前面側に前記取付ボスの先端部が嵌入される長溝部が左右方向に形成された凹部形状の一対の位置決め部と、前記一対の位置決め部の各凹部形状の底面部に所定間隔で長手方向に配設された複数の取付孔と、を有し、該入口部材は、前記装飾用板部と前記前側側壁部とを前記台板の前記開口部内に裏側から嵌め込んで、前記一対の位置決め部の各凹部形状内の複数の取付孔を介して前記一対の取付ボスに対して左右方向に位置調節可能に螺着され、該台板は、該入口部材が何れの取り付け位置に螺着されても、前記開口部が前記遮蔽用部材によって裏側から塞がれることを特徴とする。
【０００５】
このような特徴を有する発明によれば、遊技球用入口部を有する入口部材の装飾用板部と前側側壁部とを、台板の裏側から当該台板に形成された大きめの開口部に嵌め込んで、一対の位置決め部の各凹部形状内の複数の取付孔を介して、該開口部の左右両側に立設された一対の取付ボスに対して左右方向に位置調節可能に取り付けたので、その入口部材の左右方向の位置調整を可能とすると共に、遊技球用入口部の配置が相違する別の機種のものにも利用することが可能となる。更に、特開平１０−３１４３８９号公報に示す連結機構を、遊技盤の前面側に取り付ける構成を採用しないため、遊技盤の見栄えが良くなり、パチンコ球がその連結機構に当たることによる不用意な跳ね返りが生じない。
特に、台板の複数の開口部に前記入口部材を当該台板の裏側から嵌め込んでそれぞれ位置調節可能に取り付けた台板を遊技盤に取り付ける場合、入口部材があらかじめ取り付けられた台板を、遊技盤に取り付ける１回の取付作業で、複数個の入口部材が遊技盤に取り付けられる形態となる。そのため、複数の遊技球用入口部を個々に遊技盤に取り付ける場合と比較して、取付作業が容易となり、遊技球用入口部を取り付ける際の作業性が高まることになる。尚、本発明における「遊技球用入口部」とは、入賞口あるいはゲート等の、遊技球が入賞することが遊技進行上での何らかの要件となる口を総称したものをいう。
また、台板は、入口部材が何れの取り付け位置に螺着されても、開口部が当該開口部よりも大きい遮蔽用部材によって裏側から塞がれるため、取付ボスや位置決め部等の当該台板の裏側に位置するものが、見える虞がなく、見栄えを良くすることが可能となる。
【０００６】
【０００７】
【０００８】
【０００９】
【００１０】
【発明の実施の形態】
以下、図面を参照して本発明の実施形態について説明する。先ず、図１を参照して実施形態に係る遊技機（図示ではヒコーキタイプ（第２種）のパチンコ機１）の遊技盤２の構成について説明する。図１は、パチンコ機１の概略を示す正面図であって、遊技領域７の各種構造物を省略して示す。図２はこのパチンコ機１の遊技盤２の遊技領域７を示した拡大正面図である。
このパチンコ機１は、後述する入賞口、可動入賞装置等の各種構造物を遊技盤２の遊技領域７に配設している。その遊技盤２の下方には、賞球払出装置（図示せず）を介して払い出される賞球を受ける上皿３がプレート４に配設され、このプレート４はスピーカ３Ａを内蔵している。そして、その上皿３の下には、上皿３から溢れたパチンコ球を受ける下皿５が配設されている。また、プレート４の下方には、発射装置（図示せず）用の操作ハンドル６が設けられており、上皿３上のパチンコ球が、上皿３に連通する球送り機構（図示せず）を介して、発射装置（図示せず）へ送られるように構成されている。
【００１１】
また、ガラス扉８の上部には、遊技中のエラーを表示するエラー表示ランプ（図示せず）や、「当たり」を表示する当たり表示ランプ（図示せず）が取り付けられている。また、遊技盤２の両肩部には、賞球払い出し表示用及び球切れ表示用ランプ１０、１０が設けられている。その遊技盤２の前側は、鋼板やステンレス等の金属製のガラス扉８により被覆されており、このガラス扉８は、ヒンジ部材等を介して、開閉可能に取り付けられている。
前記遊技領域７はレール１１で囲まれた領域であって、遊技盤２の前面に、多数本の釘（図１では省略している）や複数個の風車１２が配設されると共に、遊技領域７のほぼ中心に、可動入賞装置１３が配設されている。また、遊技領域７の可動入賞装置１３の左右下方には、左袖入賞口１５及び右袖入賞口１５が配設され、さらに、可動入賞装置１３の左右には、電飾ランプ１６が配設されている。また、遊技領域７の最下部には、アウト口１７等が設けられている。更に、可動入賞装置１３と左右の電飾ランプ１６との間には、左肩入賞口１８及び右肩入賞口１８が配設されている。
その可動入賞装置１３は、中央上方に配置される上方通常入賞口１３ａと、左右上方に配置される開閉部材１３ｂと、中央下方に配置されるＶゾーン１３ｃと、そのＶゾーン１３ｃの上方に配置され、Ｖゾーン１３ｃへのパチンコ球の入球の許容及び阻止をするために周期的に前後動する移動部材１３ｄとから構成されている。
【００１２】
また、その可動入賞装置１３の下方には、遊技球用入口部１４を３個有する台板Ｔ１が装着されており、この台板Ｔ１が遊技盤２に設けられた開口（図示せず）に着脱可能に取り付けられるように構成されている。その台板Ｔ１の中央には、中央遊技球用入口部１４ａが配置され、その左右の対称的な位置に側部遊技球用入口部１４ｂ、１４ｂが配置されている。この場合、中央遊技球用入口部１４ａにパチンコ球の入賞があると、可動入賞装置１３の開閉部材１３ｂが短時間内に２回開閉するように設定し、左右の側部遊技球用入口部１４ｂ、１４ｂにパチンコ球の入賞があると、可動入賞装置１３の開閉部材１３ｂが短時間内に１回開閉するように設定するとともに、中央遊技球用入口部１４ａ及び側部遊技球用入口部１４ｂに入賞すると、賞球の払い出しが行われる。
そして、遊技球用入口部１４（中央遊技球用入口部１４ａまたは左右の側部遊技球用入口部１４ｂ、１４ｂ）にパチンコ球の入賞があり、可動入賞装置１３は、開閉部材１３ｂが短時間内に１回あるいは２回開閉する際に、パチンコ球のＶゾーン１３ｃへの入賞があると、開閉部材１３ｂの連続開閉動作が行われるようになっている。
【００１３】
ここで、台板Ｔ１について図３乃至図１７を用いて詳述する。図３は遊技球用入口部１４を有する左右の入口部材Ｐ１ｂ（Ｐ１）を取り付けた台板Ｔ１を拡大して示した斜視図、図４は図３に示す台板Ｔ１の拡大正面図、図５は同台板Ｔ１の拡大平面図、図６は同台板Ｔ１の拡大側面図、図７は同台板Ｔ１の拡大背面図である。図８は台板Ｔ１に取り付けられた入口部材Ｐ１ｂ（Ｐ１）の図４に示すＡ−Ａ線の拡大断面図である。
また、図９は左右の入口部材Ｐ１ｂ（Ｐ１）を取り外した台板Ｔ１を拡大して示した斜視図、図１０は図９に示す台板Ｔ１の拡大正面図、図１１は図９に示す台板Ｔ１の拡大平面図、図１２は図９に示す台板Ｔ１の拡大背面図である。更に、図１３は、遊技球用入口部１４を有する入口部材Ｐ１ｂ（Ｐ１）を拡大して示した斜視図、図１４は図１３に示す入口部材Ｐ１ｂの拡大正面図、図１５は図１３に示す入口部材Ｐ１ｂの拡大平面図、図１６は図１３に示す入口部材Ｐ１ｂの拡大背面図、図１７は図１３に示す入口部材Ｐ１ｂの拡大側面図である。
この場合、台板Ｔ１は、図３、図４、図９及び図１０に示すように、横長状に延びる台板本体Ｔ２を備えている。その台板本体Ｔ２の中央には、中央遊技球用入口部１４ａを有する入口部材Ｐ１ａ（Ｐ１）が固設され、その入口部材Ｐ１ａの左右には、側部遊技球用入口部１４ｂ、１４ｂを有する入口部材Ｐ１ｂ、Ｐ１ｂ（Ｐ１）が台板本体Ｔ２に対し位置調節可能に固設されている。
具体的には、中央遊技球用入口部１４ａを有する中央の入口部材Ｐ１ａは台板Ｔ１の台板本体Ｔ２と一体的に形成されている。それに対して、左右の側部遊技球用入口部１４ｂ、１４ｂを有する入口部材Ｐ１ｂ、Ｐ１ｂ（Ｐ１）は台板本体Ｔ２の左右に位置する大きめの空間部としての開口Ｔ３内にはめ込まれ、開口Ｔ３内で移動可能に固着されている。この場合、台板Ｔ１は複雑な曲線を有する形状を形成するべく、例えばプラスチック成型品からなるのが望ましい。
【００１４】
中央及び左右の入口部材Ｐ１ａ、Ｐ１ｂ（Ｐ１）は、図１３に示すように、共に遊技球用入口部１４ａ、１４ｂ（１４）の前面側に取り付けられる装飾部材用支持板Ｐ２と、遊技球用入口部１４と連通するパチンコ球の上下方向の入球用通路Ｌ１（図８参照）を形成するための前側周壁部Ｐ３と、この上下方向の入球用通路Ｌ１から後方側にパチンコ球を導くためのＵ溝状の後方側入球用通路Ｌ２（図８参照）を形成するための後側周壁部Ｐ４とを備えている。
この場合、装飾部材用支持板Ｐ２は、前側周壁部Ｐ３を隠すことができる大きさを有し、装飾部材（図示せず）を装着できるようにビス止め用穴Ｐ２ａを左右に２個備えている。また、上下方向の入球用通路Ｌ１（図８参照）の後方側には、パチンコ球の入賞を検出するための検出部材としての近接センサＫ１が取り付けられている。その上下方向の入球用通路Ｌ１と連通する後方側入球用通路Ｌ２には、パチンコ球を導くための案内溝Ｌ２ａが形成されている。
それにより、中央及び左右の入口部材Ｐ１ａ、Ｐ１ｂ（Ｐ１）の遊技球用入口部１４ａ、１４ｂ（１４）を通って入賞したパチンコ球は、上下方向の入球用通路Ｌ１を通る際に、近接センサＫ１により検出され、入球用通路Ｌ１及び後方側入球用通路Ｌ２を通って、中央及び左右の入口部材Ｐ１ａ、Ｐ１ｂ（Ｐ１）の背面側に案内されることになる。
そして、左右の入口部材Ｐ１ｂ（Ｐ１）は、中央の入口部材Ｐ１ａと異なり、前側周壁部Ｐ３及び後側周壁部Ｐ４間で、台板Ｔ１の開口部Ｔ３を塞ぐため左右方向に延びる遮蔽用部材Ｐ５と、この遮蔽用部材Ｐ５から後方側に延びる延設部Ｐ６と、この延設部Ｐ６から左右方向に延び、台板Ｔ１の開口部Ｔ３内で位置調節可能に取り付けるための位置決め部Ｐ７とを備えている。この場合、位置決め部Ｐ７は、台板Ｔ１の裏面側に立設された取付部としての取付ボスＴ４に対して、位置調節可能に螺着するため取付孔Ｐ７ａを複数備えており、取付ボスＴ４の上下の位置を規制するべく、凹部形状をなしている。また、台板Ｔ１の裏面側には、４本の取付ボスＴ４が左右方向に所定間隔毎に並んでおり、各取付ボスＴ４には、図１２に示すように、位置決め部Ｐ７の取付孔Ｐ７ａを介してネジ止めするためネジ孔４ａが形成されている。
【００１５】
それにより、取付作業者は、台板Ｔ１の開口部Ｔ３内に、左右の入口部材Ｐ１ｂ（Ｐ１）をはめ込み、台板Ｔ１の開口部Ｔ３内で左右の入口部材Ｐ１ｂ（Ｐ１）の位置調整をしながら、取付孔Ｐ７ａを介して、取付ボスＴ４に対して螺着することにより、開口部Ｔ３内において左右の入口部材Ｐ１ｂ（Ｐ１）の位置調整が可能となる。この場合、中央の入口部材Ｐ１ａは、遊技盤２の左右方向の中央に位置し、左右の入口部材Ｐ１ｂは、中央の入口部材Ｐ１ａに対して対称となるように位置決めされる。それにより、中央遊技球用入口部１４ａに対して左右の側部遊技球用入口部１４ｂ、１４ｂの位置を調節可能に取り付けるので、例えば釘、役物等の配設位置の位置ずれ等に対処することができる。
また、このような左右の入口部材Ｐ１ｂ（Ｐ１）の位置調整が可能な台板Ｔ１を利用する場合、遊技球用入口部１４の配置が相違する別の機種のパチンコ機１に利用することが可能となる。
ここで、台板Ｔ１は入口部材Ｐ１を左右方向にそれぞれ位置調節可能に取り付けるため、入口部材Ｐ１より大きめの開口部Ｔ３を備えており、その開口部Ｔ３を介して台板Ｔ１の裏面側に位置するものが、遊技者側から見えるおそれがある。そして、台板Ｔ１の大きめの開口部Ｔ３を介して台板Ｔ１の裏面側に位置するものが、遊技者側から見えると、見栄えが良くないが、入口部材Ｐ１が台板Ｔ１の開口部Ｔ３を塞ぐように、台板Ｔ１の開口部Ｔ３より大きい遮蔽用部材Ｐ５を備えるので、台板Ｔ１の裏面側に位置するものが遊技者側から見えにくく、見栄えが悪くなることがない。
【００１６】
特に、入口部材Ｐ１は、台板Ｔ１の取り付け用に、台板Ｔ１の裏面側に位置する位置決め部Ｐ７を有し、この位置決め部Ｐ７は、前記台板Ｔ１の裏面側に設けられた取付ボスＴ４に対し固着される。このように位置決め部Ｐ７が取付ボスＴ４に対し固着されることにより、入口部材Ｐ１を台板Ｔ１に取り付けることになるが、位置決め部Ｐ７及び取付ボスＴ４が遮蔽用部材Ｐ５の裏面側に位置して遮蔽用部材Ｐ５により隠れるので、台板Ｔ１の裏面側に位置するものが遊技者側から見えにくく、見栄えが悪くなることがない。
そして、左右の入口部材Ｐ１ｂ（Ｐ１）の位置調整をしながら台板Ｔ１に取り付け、その台板Ｔ１を遊技盤２に取り付けると、１回の取付作業で３個の遊技球用入口部１４ａ、１４ｂが遊技盤２に取り付けられる形態となり、遊技球用入口部１４ａ、１４ｂを個々に遊技盤２に取り付ける場合と比較して、取付作業を容易に済ませることができる。
この場合、台板Ｔ１の裏面側に位置決め用突起Ｔ５が設けられ、この位置決め用突起Ｔ５を、遊技盤２に設けられた位置決め用穴（図示せず）にはめ込むことにより、台板Ｔ１が遊技盤２に対して位置決めされた状態となる。そして、台板Ｔ１のビス孔Ｔ６を介して、台板Ｔ１を遊技盤２にビス止めして固着することができる。
【００１７】
以上説明した通り、遊技球用入口部１４を複数有する台板Ｔ１を遊技盤２に装着するようにしたパチンコ機１（遊技機）において、前記台板Ｔ１は、前記遊技球用入口部１４を有する入口部材Ｐ１を取り付けるため、その入口部材Ｐ１より大きめの複数の開口部Ｔ３（空間部）を左右の位置に配置し、この開口部Ｔ３に前記入口部材Ｐ１をそれぞれ位置調節可能に取り付けたので、入口部材Ｐ１をあらかじめ取り付けた台板Ｔ１を、遊技盤２に取り付ける１回の取付作業で、左右の入口部材Ｐ１が遊技盤２に取り付けられる形態となる。それにより、左右の遊技球用入口部１４ｂの配置を種々変更して使用することができ、機種の異なるパチンコ機１の遊技盤２に対して共用して使用することが可能となる。尚、台板Ｔ１を別の機種に用いる際には、遮蔽用部材Ｐ５の着色等を変更し、別の機種の遊技盤２の表面に対する着色等を調和させることにより、使用者にそれと気付かせずに、台板Ｔ１を共用させることができる。
また、台板Ｔ１は、遊技球用入口部１４を有する入口部材Ｐ１を中央に固設し、この入口部材Ｐ１の左右の位置に開口部Ｔ３を有し、各開口部Ｔ３に前記入口部材Ｐ１を位置調節可能にそれぞれ取り付けた場合、３連チャッカーとして利用することができる。
【００１８】
次に、第２の実施の形態のパチンコ機１の台板Ｔ１について、図１８乃至図２１を参照して述べる。
この実施の形態の場合、第１の実施の形態の台板Ｔ１と異なり、台板Ｔ１の中央に設けられた遊技球用入口部１４ａを有する入口部材Ｐ１ａが、賞球の払い出しが行われる入賞口ではない点で相違する。すなわち、第２の実施の形態のパチンコ機１は、遊技球用入口部１４ａに入賞したパチンコ球を、そのまま下方側に落下させるゲートＰ８に変更したものであり、その他の部分については第１の実施の形態のパチンコ機１と同様である。この場合、第１の実施の形態の部材と同一の機能を果たす部材については、その説明を援用し、同一の符号を付してその詳細な説明を省略する。
図１８は遊技球用入口部１４を有する左右の入口部材Ｐ１ｂ（Ｐ１）を取り外した台板Ｔ１を拡大して示した斜視図である。図１９は図１８に示す台板Ｔ１の拡大正面図である。図２０は同台板Ｔ１の拡大平面図である。図２１は同台板Ｔ１の拡大側面図である。
すなわち、台板Ｔ１には、図１８乃至図２１に示すように、中央の位置に中央遊技球用入口部１４ａが配置され、その左右の対称的な位置に側部遊技球用入口部１４ｂ、１４ｂが配置されている。この場合、中央遊技球用入口部１４ａにパチンコ球の入賞があると、可動入賞装置１３の開閉部材１３ｂが短時間内に２回開閉するように設定し、左右の側部遊技球用入口部１４ｂ、１４ｂにパチンコ球の入賞があると、可動入賞装置１３の開閉部材１３ｂが短時間内に１回開閉するように設定するとともに、側部遊技球用入口部１４ｂに入賞すると、賞球の払い出しが行われる。
【００１９】
そして、遊技球用入口部１４（中央遊技球用入口部１４ａまたは左右の側部遊技球用入口部１４ｂ、１４ｂ）にパチンコ球の入賞があり、可動入賞装置１３は、開閉部材１３ｂが短時間内に１回あるいは２回開閉する際に、パチンコ球のＶゾーン１３ｃへの入賞があると、開閉部材１３ｂの連続開閉動作を行うようになっている。
この場合、台板Ｔ１は、横長状に延びる台板本体Ｔ２を備えており、その台板本体Ｔ２の中央に、中央遊技球用入口部１４ａを有する入口部材Ｐ１ａ（Ｐ１）が配設され、その入口部材Ｐ１ａの左右に側部遊技球用入口部１４ｂ、１４ｂを有する入口部材Ｐ１ｂ、Ｐ１ｂ（Ｐ１）が台板本体Ｔ２に配設されている。そして、中央遊技球用入口部１４ａを有する中央の入口部材Ｐ１ａは、台板Ｔ１の台板本体Ｔ２に固着されているのに対して、左右の側部遊技球用入口部１４ｂ、１４ｂを有する入口部材Ｐ１ｂ、Ｐ１ｂは、台板本体Ｔ２の左右に位置する大きめの空間部としての開口Ｔ３内で移動可能に固着されている。
中央及び左右の入口部材Ｐ１ａ、Ｐ１ｂ（Ｐ１）は、共に遊技球用入口部１４ａ、１４ｂ（１４）の前面側に取り付けられる装飾部材用支持板Ｐ２と、遊技球用入口部１４と連通するパチンコ球の上下方向の入球用通路Ｌ１（図８参照）を形成するための前側周壁部Ｐ３と、この上下方向の入球用通路Ｌ１から後方側にパチンコ球を導くためのＵ溝状の後方側入球用通路Ｌ２（図８参照）を形成するための後側周壁部Ｐ４とを備えている。ここで、装飾部材用支持板Ｐ２は、装飾部材（図示せず）を装着できるようにビス止め用穴Ｐ２ａを左右に２個備えている。また、上下方向の入球用通路Ｌ１（図８参照）の後方側には、パチンコ球の入賞を検出するための検出部材としての近接センサＫ１が取り付けられている。その上下方向の入球用通路Ｌ１と連通する後方側入球用通路Ｌ２には、パチンコ球を導くための案内溝Ｌ２ａが形成されている。
それにより、中央及び左右の入口部材Ｐ１ａ、Ｐ１ｂ（Ｐ１）の遊技球用入口部１４ａ、１４ｂ（１４）を介して入ったパチンコ球は、上下方向の入球用通路Ｌ１を通る際に、近接センサＫ１により検出され、入球用通路Ｌ１及び後方側入球用通路Ｌ２を通って、中央及び左右の入口部材Ｐ１ａ、Ｐ１ｂ（Ｐ１）の背面側に案内されることになる。
【００２０】
そして、左右の入口部材Ｐ１ｂ（Ｐ１）は、中央の入口部材Ｐ１ａと異なり、前側周壁部Ｐ３及び後側周壁部Ｐ４間で、台板Ｔ１の開口部Ｔ３を塞ぐため左右方向に延びる遮蔽用部材Ｐ５と、この遮蔽用部材Ｐ５から後方側に延びる延設部Ｐ６と、この延設部Ｐ６から左右方向に延び、台板Ｔ１の開口部Ｔ３内で位置調節可能に取り付けるための位置決め部Ｐ７とを備えている。この場合、位置決め部Ｐ７は、左右方向に延び、台板Ｔ１の裏面側に立設された取付部としての取付ボスＴ４に対して、位置調節可能に螺着するため取付孔Ｐ７ａを複数個（３個）備えている。
それにより、取付作業者は、台板Ｔ１の開口部Ｔ３内に、左右の入口部材Ｐ１ｂ（Ｐ１）をはめ込み、左右の入口部材Ｐ１ｂ（Ｐ１）の位置調整をしながら、最適な取付孔Ｐ７ａを選択し、その取付孔Ｐ７ａを介して、取付ボスＴ４に対して螺着することにより、開口部Ｔ３内において左右の入口部材Ｐ１ｂ（Ｐ１）の位置調整が可能となる。そして、中央遊技球用入口部１４ａに対して左右の側部遊技球用入口部１４ｂ、１４ｂの位置を調節可能に取り付けるので、例えば釘、役物等の配設位置の位置ずれ等に対処することができる。
また、このような左右の入口部材Ｐ１ｂ（Ｐ１）の位置調整が可能な台板Ｔ１を利用する場合、遊技球用入口部１４の配置が相違する別の機種のパチンコ機１に利用することが可能となる。
また、台板Ｔ１の大きめの開口部Ｔ３を介して台板Ｔ１の裏面側に位置するものが、遊技者側から見えると、見栄えが良くないが、入口部材Ｐ１が台板Ｔ１の開口部Ｔ３を塞ぐような開口部Ｔ３より大きめの遮蔽用部材Ｐ５を備えるので、台板Ｔ１の裏面側に位置するものが、遊技者側から見えにくく、見栄えが悪くなることがない。
【００２１】
そして、左右の入口部材Ｐ１ｂ（Ｐ１）の位置調整をしながら台板Ｔ１に取り付け、その台板Ｔ１を遊技盤２に取り付けると、１回の取付作業で３個の遊技球用入口部１４ａ、１４ｂが遊技盤２に取り付けられる形態となり、遊技球用入口部１４ａ、１４ｂを個々に遊技盤２に取り付ける場合と比較して、取付作業を容易に済ませることができる。
この場合、台板Ｔ１の裏面側に位置決め用突起Ｔ５が設けられ、位置決め用突起Ｔ５を、遊技盤２に設けられた位置決め用穴にはめ込むことにより、台板Ｔ１が遊技盤２に対して位置決めされた状態となる。そして、台板Ｔ１のビス孔Ｔ６を介して台板Ｔ１を遊技盤２にビス止めすることができる。
【００２２】
次に、第３の実施の形態のパチンコ機１の台板Ｔ１について、図２２乃至図２６を参照して述べる。
この実施の形態の場合、第１の実施の形態の台板Ｔ１と異なり、台板Ｔ１の中央に設けられた遊技球用入口部１４ａを有する入口部材Ｐ１ａが存在しない点で相違する。すなわち、第３の実施の形態のパチンコ機１は、中央遊技球用入口部１４ａを有する入口部材Ｐ１ａが存在しないので、転動落下したパチンコ球を、そのまま下方側に落下させるものであり、その他の部分については第１の実施の形態のパチンコ機１と同様である。この場合、第１の実施の形態の部材と同一の機能を果たす部材については、その説明を援用し、同一の符号を付してその詳細な説明を省略する。
図２２は遊技球用入口部１４を有する左右の入口部材Ｐ１ｂ（Ｐ１）を取り付けた台板Ｔ１を拡大して示した斜視図である。図２３は図１８に示す台板Ｔ１の拡大正面図である。図２４は同台板Ｔ１の拡大平面図である。但し、図２４は後方側入球用通路Ｌ２を見やすくするべく、近接センサＫ１を省略して示す。図２５は同台板Ｔ１の拡大背面図である。図２６は同台板Ｔ１の拡大側面図である。
【００２３】
そして、遊技球用入口部１４（左右の側部遊技球用入口部１４ｂ、１４ｂ）にパチンコ球の入賞があり、可動入賞装置１３は、開閉部材１３ｂが短時間内に１回あるいは２回開閉する際に、パチンコ球のＶゾーン１３ｃへの入賞があると、開閉部材１３ｂの連続開閉動作を行うようになっている。
この場合、台板Ｔ１は、横長状に延びる台板本体Ｔ２を備えており、その台板本体Ｔ２の左右に側部遊技球用入口部１４ｂ、１４ｂを有する入口部材Ｐ１ｂ、Ｐ１ｂ（Ｐ１）が台板本体Ｔ２に配設されている。そして、左右の側部遊技球用入口部１４ｂ、１４ｂを有する入口部材Ｐ１ｂ、Ｐ１ｂは、台板本体Ｔ２の左右に位置する大きめの空間部としての開口Ｔ３内で移動可能に固着されている。
【００２４】
左右の入口部材Ｐ１ｂ（Ｐ１）は、共に遊技球用入口部１４ｂ（１４）の前面側に取り付けられる装飾部材用支持板Ｐ２と、遊技球用入口部１４と連通するパチンコ球の上下方向の入球用通路Ｌ１（図８参照）を形成するための前側周壁部Ｐ３と、この上下方向の入球用通路Ｌ１から後方側にパチンコ球を導くためのＵ溝状の後方側入球用通路Ｌ２（図８参照）を形成するための後側周壁部Ｐ４とを備えている。ここで、装飾部材用支持板Ｐ２は、装飾部材（図示せず）を装着できるようにビス止め用穴Ｐ２ａを左右に２個備えている。また、上下方向の入球用通路Ｌ１（図８参照）の後方側には、パチンコ球の入賞を検出するための検出部材としての近接センサＫ１が取り付けられている。その上下方向の入球用通路Ｌ１と連通する後方側入球用通路Ｌ２には、パチンコ球を導くための案内溝Ｌ２ａが形成されている。
それにより、左右の入口部材Ｐ１ｂ（Ｐ１）の遊技球用入口部１４ｂ（１４）を介して入ったパチンコ球は、上下方向の入球用通路Ｌ１を通る際に、近接センサＫ１により検出され、入球用通路Ｌ１及び後方側入球用通路Ｌ２を通って、左右の入口部材Ｐ１ｂ（Ｐ１）の背面側に案内されることになる。
【００２５】
そして、左右の入口部材Ｐ１ｂ（Ｐ１）は、前側周壁部Ｐ３及び後側周壁部Ｐ４間で、台板Ｔ１の開口部Ｔ３を塞ぐため左右方向に延びる遮蔽用部材Ｐ５と、この遮蔽用部材Ｐ５から後方側に延びる延設部Ｐ６と、この延設部Ｐ６から左右方向に延び、台板Ｔ１の開口部Ｔ３内で位置調節可能に取り付けるための位置決め部Ｐ７とを備えている。この場合、位置決め部Ｐ７は、台板Ｔ１の裏面側に立設された取付部としての取付ボスＴ４に対して、位置調節可能に螺着するため取付孔Ｐ７ａを複数備えている。
それにより、取付作業者は、台板Ｔ１の開口部Ｔ３内に、左右の入口部材Ｐ１ｂ（Ｐ１）をはめ込み、左右の入口部材Ｐ１ｂ（Ｐ１）の位置調整をしながら、取付孔Ｐ７ａを介して、取付ボスＴ４に対して螺着することにより、開口部Ｔ３内において左右の入口部材Ｐ１ｂ（Ｐ１）の位置調整が可能となる。
【００２６】
また、このような左右の入口部材Ｐ１ｂ（Ｐ１）の位置調整が可能な台板Ｔ１を利用する場合、遊技球用入口部１４の配置が相違する別の機種のパチンコ機１に利用することが可能となる。
また、台板Ｔ１の大きめの開口部Ｔ３を介して台板Ｔ１の裏面側に位置するものが、遊技者側から見えると、見栄えが良くないが、入口部材Ｐ１が台板Ｔ１の開口部Ｔ３を塞ぐような遮蔽用部材Ｐ５を備えるので、遊技者側から見えにくく、見栄えが悪くなることがない。
そして、左右の入口部材Ｐ１ｂ（Ｐ１）の位置調整をしながら台板Ｔ１に取り付け、その台板Ｔ１を遊技盤２に取り付けると、１回の取付作業で２個の遊技球用入口部１４ｂが遊技盤２に取り付けられる形態となり、遊技球用入口部１４ｂを個々に遊技盤２に取り付ける場合と比較して、取付作業を容易に済ませることができる。
この場合、台板Ｔ１の裏面側に位置決め用突起Ｔ５が設けられ、位置決め用突起Ｔ５を、遊技盤２に設けられた位置決め用穴にはめ込むことにより、台板Ｔ１が遊技盤２に対して位置決めされた状態となる。そして、台板Ｔ１のビス孔Ｔ６を介して台板Ｔ１を遊技盤２にビス止めすることができる。
【００２７】
尚、本発明は、上述した実施の形態に限定される訳ではなく、種々の変更が可能である。例えば、位置決め部Ｐ７は、前記入口部材Ｐ１の左右方向にそれぞれ延設された延長部として台板Ｔ１の裏面側に配置するとともに、これら延長部に複数の取付孔Ｐ７ａを穿設し、この取付孔Ｐ７ａを介して、台板Ｔ１の裏面側に設けられた取付ボスＴ４と螺着する態様を採用したが、これ以外の態様採用してもよい。また、入口部材Ｐ１の位置調節は、左右方向に限られず上下方向であってもよい。
【００２８】
また、上記実施の形態では、本発明をいわゆるヒコーキタイプ（第２種）のパチンコ機に適用するようにしたが、本発明は、ヒコーキタイプ以外にも各種の遊技盤に適用することができる。また、上記実施の形態では、２個あるいは３個の入口部材を備えるようにしたが、１個あるいは４個以上の入口部材を備える形態とすることもできる。また、台板は入口部材より大きめの開口部を有したが、入口部材を位置調節可能に取り付ける空間部であれば、開口部に限定されるわけではない。
更に実施形態では、遊技機はパチンコ機であったが、例えばコイン遊技機等の、それ以外の遊技機であっても良い。また、入口部材の位置調整機構としては、位置決め部を採用するものに限らず、各種の構成を採用することができる。
【００２９】
【発明の効果】
以上説明した通り、請求項１に係る遊技機によれば、遊技球用入口部を有する入口部材の装飾用板部と前側側壁部とを、台板の裏側から当該台板に形成された大きめの開口部に嵌め込んで、一対の位置決め部の各凹部形状内の複数の取付孔を介して、該開口部の左右両側に立設された一対の取付ボスに対して左右方向に位置調節可能に取り付けたので、その入口部材の左右方向の位置調整を可能とすると共に、遊技球用入口部の配置が相違する別の機種のものにも利用することが可能となる。
特に、台板の複数の開口部に前記入口部材を当該台板の裏側から嵌め込んでそれぞれ位置調節可能に取り付けた台板を遊技盤に取り付ける場合、入口部材があらかじめ取り付けられた台板を、遊技盤に取り付ける１回の取付作業で、複数個の入口部材が遊技盤に取り付けられる形態となる。そのため、複数の遊技球用入口部を個々に遊技盤に取り付ける場合と比較して、取付作業が容易となり、遊技球用入口部を取り付ける際の作業性が高まることになる。
また、台板は、入口部材が何れの取り付け位置に螺着されても、開口部が当該開口部よりも大きい遮蔽用部材によって裏側から塞がれるため、取付ボスや位置決め部等の当該台板の裏側に位置するものが、見える虞がなく、見栄えを良くすることが可能となる。
【００３０】
【００３１】
【００３２】
【００３３】
【図面の簡単な説明】
【図１】  第１の実施の形態に係るパチンコ機全体を示した概略正面図である。
【図２】  この実施の形態に係るパチンコ機の遊技領域を拡大して示した正面図である。
【図３】  第１の実施例の形態に係る遊技球用入口部を有する入口部材を取り付けた台板を拡大して示した斜視図である。
【図４】  図３に示す台板の拡大正面図である。
【図５】  図３に示す台板の拡大平面図である。
【図６】  図３に示す台板の拡大側面図である。
【図７】  図３に示す台板の拡大背面図である。
【図８】  図４に示す台板のＡ−Ａ線の拡大断面図である。
【図９】  第１の実施の形態に係る入口部材を取り外し状態の台板を拡大して示した斜視図である。
【図１０】  図９に示す台板の拡大正面図である。
【図１１】  図９に示す台板の拡大平面図である。
【図１２】  図８に示す台板の拡大背面図である。
【図１３】  この実施の形態に係る入口部材を拡大して示した斜視図である。
【図１４】  図１３に示す入口部材の拡大正面図である。
【図１５】  図１３に示す入口部材の拡大平面図である。
【図１６】  図１３に示す入口部材の拡大背面図である。
【図１７】  図１３に示す入口部材の拡大側面図である。
【図１８】  第２の実施の形態に係る入口部材を取り外した状態の台板を拡大して示した斜視図である。
【図１９】  図１８に示す台板の拡大正面図である。
【図２０】  図１８に示す台板の拡大平面図である。
【図２１】  図１８に示す台板の拡大側面図である。
【図２２】  第３の実施例の形態に係る遊技球用入口部を有する入口部材を取り付けた台板を拡大して示した斜視図である。
【図２３】  図２２に示す台板の拡大正面図である。
【図２４】  図２２に示す台板の拡大平面図である。
【図２５】  図２２に示す台板の拡大背面図である。
【図２６】  図２２に示す台板の拡大側面図である。
【符号の説明】
１・・・パチンコ機（遊技機）
２・・・遊技盤
７・・・遊技領域
１２・・・風車
１３・・・可動入賞装置
１４・・・遊技球用入口部
１４ａ・・・中央遊技球用入口部
１４ｂ・・・側部遊技球用入口部
Ｔ１・・・台板
Ｔ２・・・台板本体
Ｔ３・・・開口部（空間部）
Ｔ４・・・取付ボス（取付部）
Ｐ１・・・入口部材
Ｐ１ａ・・・中央の入口部材
Ｐ１ｂ・・・左右の入口部材
Ｐ５・・・遮蔽用部材
Ｐ６・・・延設部
Ｐ７・・・位置決め部
Ｐ７ａ・・・取付孔
Ｐ８・・・ゲート
【図１】
0004411398.tif 000002
【図２】
0004411398.tif 000003
【図３】
0004411398.tif 000004
【図４】
0004411398.tif 000005
【図５】
0004411398.tif 000006
【図６】
0004411398.tif 000007
【図７】
0004411398.tif 000008
【図８】
0004411398.tif 000009
【図９】
0004411398.tif 000010
【図１０】
0004411398.tif 000011
【図１１】
0004411398.tif 000012
【図１２】
0004411398.tif 000013
【図１３】
0004411398.tif 000014
【図１４】
0004411398.tif 000015
【図１５】
0004411398.tif 000016
【図１６】
0004411398.tif 000017
【図１７】
0004411398.tif 000018
【図１８】
0004411398.tif 000019
【図１９】
0004411398.tif 000020
【図２０】
0004411398.tif 000021
【図２１】
0004411398.tif 000022
【図２２】
0004411398.tif 000023
【図２３】
0004411398.tif 000024
【図２４】
0004411398.tif 000025
【図２５】
0004411398.tif 000026
【図２６】
0004411398.tif 000027